【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
記録材に画像を形成するための画像形成手段と、
定着フィルムとヒータを含み、前記画像を記録材に定着する定着手段と、
トナーが転写される領域の面積／画像形成領域全体の面積で定義される印字率に関する値を受信する受信手段と、
記録材を搬送する搬送手段と、
前記画像形成手段により、複数の記録材に連続して画像形成を行う際に、前記受信した印字率に関する値に応じて、前記搬送手段により先行して搬送される記録材の後端から次に搬送される記録材の先端までの間隔である紙間を制御する制御手段と、を有することを特徴とする画像形成装置。
【請求項２】
前記制御手段は、記録材の種類に関する情報から得られる記録材の坪量と閾値とを比較し、坪量が閾値以下のときは紙間を第１の間隔とし、坪量が閾値より大きいときは紙間を前記第１の間隔より広い第２の間隔とすることを特徴とする請求項１に記載の画像形成装置。
【請求項３】
前記制御手段は、前記印字率に関する値と閾値とを比較し、前記印字率に関する値が閾値以下のときは紙間を第３の間隔とし、前記印字率に関する値が閾値より大きいときは紙間を前記第３の間隔より広い第４の間隔とすることを特徴とする請求項１又は２に記載の画像形成装置。
【請求項４】
前記制御手段は、前記閾値より大きな他の閾値と前記印字率に関する値を比較し、前記印字率に関する値が他の閾値より小さいときは紙間を前記第４の間隔とし、前記印字率に関する値が他の閾値より大きいときは紙間を前記第４の間隔より広い第５の間隔とすることを特徴とする請求項３に記載の画像形成装置。
【請求項５】
前記受信手段は、さらに一つ前のページの画像の印字率に関する値を受信し、
前記制御手段は、前記一つ前のページの画像の印字率に関する値と閾値とを比較し、前記一つ前のページの画像の印字率に関する値が閾値より小さいときは紙間を第６の間隔とし、前記一つ前のページの画像の印字率に関する値が閾値より大きいときは紙間を前記第６の間隔より広い第７の間隔とすることを特徴とする請求項１乃至３のいずれか１項に記載の画像形成装置。
【請求項６】
前記受信手段は、さらに形成する画像のトナーの載り量を受信し、
前記制御手段は、前記トナーの載り量と閾値とを比較し、前記トナーの載り量が閾値より小さいときは紙間を第８の間隔とし、前記トナーの載り量が閾値より大きいときは紙間を前記第８の間隔より広い第９の間隔とすることを特徴とする請求項１又は２に記載の画像形成装置。
【請求項７】
前記受信手段は、さらに形成する画像の中にグラフィックデータが含まれるか否かを受信し、
前記制御手段は、前記グラフィックデータが含まれないときは紙間を第１０の間隔とし、前記グラフィックデータが含まれるときは紙間を前記第１０の間隔より広い第１１の間隔とすることを特徴とする請求項１又は２に記載の画像形成装置。
【請求項８】
前記搬送手段は、記録材を搬送するレジストローラと、前記レジストローラで記録材の斜行補正を行うレジストシャッタを含むことを特徴とする請求項１乃至５のいずれか１項に記載の画像形成装置。
【請求項９】
前記印字率に関する値とは、記録材に転写されるトナーのドット数に関する値であることを特徴とする請求項１に記載の画像形成装置。
【請求項１０】
前記印字率に関する値とは、単位面積当たりのトナーのドット数に関する値であることを特徴とする請求項１に記載の画像形成装置。
【請求項１１】
前記先行して搬送される記録材と、前記次に搬送される記録材は、横送りされることを特徴とする請求項１に記載の画像形成装置。
【請求項１２】
記録材に画像を形成するための画像形成手段と、
画像形成が行われる記録材の種類に関する情報を受信する受信手段と、
記録材を搬送する搬送手段と、
前記画像形成手段により、複数の記録材に連続して画像形成を行う際に、前記受信した記録材の種類に関する情報に応じて、前記搬送手段により先行して搬送される記録材の後端から次に搬送される記録材の先端までの間隔である紙間を制御する制御手段と、を有し、
前記制御手段は、記録材の種類に関する情報から得られる第１の記録材の坪量と閾値とを比較し、坪量が閾値より大きいときは紙間を第１の間隔とし、
坪量が閾値より小さいときは、さらに第１の記録材の一つ前の第２の記録材に形成された画像の印字率に関する値と閾値を比較し、前記第２の記録材に形成された画像の印字率に関する値が閾値より大きいときは紙間を前記第１の間隔より狭い第２の間隔とし、前記第２の記録材に形成された画像の印字率に関する値が閾値より小さいときは紙間を前記第２の間隔より狭い第３の間隔とすることを特徴とする画像形成装置。
【請求項１３】
記録材に画像を形成するための画像形成手段と、
画像形成が行われる記録材の種類に関する情報を受信する受信手段と、
記録材を搬送する搬送手段と、
前記画像形成手段により、複数の記録材に連続して画像形成を行う際に、前記受信した記録材の種類に関する情報に応じて、前記搬送手段により先行して搬送される記録材の後端から次に搬送される記録材の先端までの間隔である紙間を制御する制御手段と、を有し、
前記制御手段は、第１の記録材に形成される画像の印字率に関する値と第１の閾値とを比較し、前記第１の記録材に形成される画像の印字率に関する値が第１の閾値より大きいときは紙間を第１の間隔とし、
前記第１の記録材に形成される画像の印字率に関する値が第１の閾値より小さいときは、さらに第１の記録材の一つ前の第２の記録材に形成された画像の印字率に関する値と第２の閾値を比較し、前記第２の記録材に形成された画像の印字率に関する値が第２の閾値より小さいときは紙間を前記第１の間隔より狭い第２の間隔とし、前記第２の記録材に形成された画像の印字率に関する値が第２の閾値より小多きときは紙間を前記第２の間隔より広い第３の間隔とすることを特徴とする画像形成装置。
【請求項１４】
前記搬送手段は、記録材を搬送するレジストローラと、前記レジストローラで記録材の斜行補正を行うレジストシャッタを含むことを特徴とする請求項１２又は１３に記載の画像形成装置。
【請求項１５】
前記印字率に関する値とは、記録材に転写されるトナーのドット数に関する値であることを特徴とする請求項１２又は１３に記載の画像形成装置。
【請求項１６】
前記印字率に関する値とは、単位面積当たりのトナーのドット数に関する値であることを特徴とする請求項１２又は１３に記載の画像形成装置。
【請求項１７】
前記先行して搬送される記録材と、前記次に搬送される記録材は、横送りされることを特徴とする請求項１２又は１３に記載の画像形成装置。
【手続補正２】
【補正対象書類名】明細書
【補正対象項目名】０００６
【補正方法】変更
【補正の内容】
【０００６】
上記目的を達成するために本発明は、記録材に画像を形成するための画像形成手段と、定着フィルムとヒータを含み、前記画像を記録材に定着する定着手段と、トナーが転写される領域の面積／画像形成領域全体の面積で定義される印字率に関する値を受信する受信手段と、記録材を搬送する搬送手段と、前記画像形成手段により、複数の記録材に連続して画像形成を行う際に、前記受信した印字率に関する値に応じて、前記搬送手段により先行して搬送される記録材の後端から次に搬送される記録材の先端までの間隔である紙間を制御する制御手段と、を有することを特徴とする。